(57)【要約】【課題】対象物に印を付ける際、その対象物の長さ寸法を等分割した位置に、印を付けるのに便利な巻尺を提供すること。【解決手段】本考案の巻尺Ｍ１は、ケース１から引き出した際の物差し体３の表面側における両縁の一方４ｂに、実寸の目盛り１０が、物差し体３の全長にわたって、付けられるとともに、他方４ｃに、縮尺された目盛り１５が、物差し体３の全長にわたって一種類の尺度だけとして、付けられている。実寸目盛り１０は、１ｍｍ毎の表示線１１・１３・１４を付けるとともに、１ｃｍ毎に、対応する長さの数字を付けて、表示される。縮尺目盛り１５は、少なくとも、対応するｃｍ毎に、対応する長さの数字を付けるとともに、目視可能な範囲で、対応する１ｍｍ毎、２ｍｍ毎、５ｍｍ毎のいずれかの表示線１６・１８・１９を付けて、表示されている。【選択図】図１
0003119633.tif 000002
【実用新案登録請求の範囲】
【請求項１】
巻かれて収納されたケースから引き出して使用する可撓性を有した帯状の物差し体に、実寸の目盛りと縮尺された目盛りとが、付けられて構成される巻尺であって、
前記ケースから引き出した際の前記物差し体の表面側における両縁の一方に、実寸の前記目盛りが、前記物差し体の全長にわたって、付けられるとともに、他方に、縮尺された前記目盛りが、前記物差し体の全長にわたって一種類の尺度だけとして、付けられ、
実寸の前記目盛りが、１ｍｍ毎の表示線を付けるとともに、１ｃｍ毎に、対応する長さの数字を付けて、表示され、
縮尺された前記目盛りが、少なくとも、対応するｃｍ毎に、対応する長さの数字を付けるとともに、目視可能な範囲で、対応する１ｍｍ毎、２ｍｍ毎、５ｍｍ毎のいずれかの表示線を付けて、表示されていることを特徴とする巻尺。
【請求項２】
縮尺された前記目盛りが、実寸の１／２、１／３、及び、１／４の尺度のいずれか、であることを特徴とする請求項１に記載の巻尺。
【請求項３】
実寸の前記目盛りの表示線が、１ｃｍ毎に描かれる大表示線と、隣接する二つの大表示線間に配置されて、大表示線から５ｍｍの位置に描かれる中表示線と、大表示線と中表示線との間で、１ｍｍ毎に描かれる小表示線と、から構成され、
縮尺された前記目盛りが、実寸の１／２の尺度として、
縮尺された前記目盛りの表示線が、対応する尺度の１ｃｍ毎に描かれる大表示線と、隣接する二つの大表示線間に配置されて、大表示線から対応する尺度の５ｍｍの位置に描かれる中表示線と、大表示線と中表示線との間で、対応する尺度の１ｍｍ毎に描かれる小表示線と、から構成されていることを特徴とする請求項１に記載の巻尺。
【請求項４】
収納されたケースから引き出して使用する可撓性を有した帯状の物差し体に、実寸の目盛りと縮尺された目盛りとを付けて構成される巻尺が、複数個、組み合わされて構成される割り出し具であって、
前記各巻尺が、それぞれ、
前記ケースから引き出した際の前記物差し体の表面側における両縁の一方に、実寸の前記目盛りを、前記物差し体の全長にわたって、付け、他方に、縮尺された前記目盛りを、前記物差し体の全長にわたって一種類の尺度だけとして、付けて、
さらに、実寸の前記目盛りを、１ｍｍ毎の表示線を付けるとともに、１ｃｍ毎に、対応する長さの数字を付けて、表示させ、
縮尺された前記目盛りを、少なくとも、対応するｃｍ毎に、対応する長さの数字を付けるとともに、目視可能な範囲で、対応する１ｍｍ毎、２ｍｍ毎、５ｍｍ毎のいずれかの表示線を付けて、表示させる構成として、
前記各巻尺が、縮尺の前記目盛りの尺度を、相互に、異ならせていることを特徴とする割り出し具。
【請求項５】
前記巻尺が、縮尺された前記目盛りを、それぞれ、実寸の１／２、１／３、及び、１／４の尺度とした二個若しくは三個から、構成されていることを特徴とする請求項４に記載の割り出し具。
【考案の詳細な説明】
【技術分野】
【０００１】
本考案は、収納されたケースから引き出して使用する可撓性を有した帯状の物差し体に、実寸の目盛りと縮尺された目盛りとが付けられて構成される巻尺、及び、そのような巻尺を複数個利用した割り出し具に関する。
【背景技術】
【０００２】
従来の巻尺では、収納されたケースから引き出して使用する可撓性を有した帯状の物差し体（例えば、コンベックスルール）に、実寸の目盛りと縮尺された目盛りとが付けられて構成されるものがある（例えば、特許文献１・２参照）。
【特許文献１】実開平５−９２６０２号公報
【特許文献２】実用新案登録第３００８２１０号公報
【考案の開示】
【考案が解決しようとする課題】
【０００３】
しかし、従来の実寸の目盛りと縮尺した目盛りとを表示した巻尺では、縮尺した目盛りが、尺度を変えた数種類として、物差し体の表面側に、表示されたり、あるいは、物差し体の表裏に、表示されていた。
【０００４】
そのため、縮尺された状態での長い長さ寸法で、対象物に印を付ける場合、不便であった。
【０００５】
例えば、店舗のウインドディスプレイとして、壁面に、長さ３００ｍｍと３１３ｍｍとの装飾棒を、それぞれ、軸方向の中央を上下方向に揃えつつ、軸方向を水平方向に沿わせて、取り付ける際、各装飾棒の軸方向の中央に、印を付け、その印を上下方向に沿って一致させて、各装飾棒を取り付けて行う。
【０００６】
その際、長さ３００ｍｍの装飾棒は、その長さ寸法の数値の数字が偶数であり、半分の長さの１５０ｍｍは、容易に、把握できて、その装飾棒の端から１５０ｍｍの位置に、簡単に印を付けることができる。しかし、３１３ｍｍの長さ寸法の数値の数字は、奇数であり、かつ、素数であって、瞬時に、把握し難い場合があり、その場合には、不要な箇所に印を付さないように、慎重を期するため、計算機等を使用して、中央の端からの長さ寸法を算出して、３１３ｍｍの装飾棒の中央位置に、印を付す場合があった。
【０００７】
そして、従来の巻尺では、半分の長さの位置、あるいは、端から１／３の長さとなるような位置に、印を付ける場合、対象物の長さ寸法に縮尺目盛りが足りなかったり、あるいは、対応する尺度の目盛りが、実寸の目盛りの裏面側に表示されていたりして、使用し難かった。
【０００８】
本考案は、上述の課題を解決するものであり、対象物に印を付ける際、その対象物の長さ寸法を等分割した位置に、印を付けるのに便利な巻尺及び割り出し具を提供することを目的とする。
【課題を解決するための手段】
【０００９】
本考案に係る巻尺は、巻かれて収納されたケースから引き出して使用する可撓性を有した帯状の物差し体に、実寸の目盛りと縮尺された目盛りとが、付けられて構成される巻尺であって、
ケースから引き出した際の物差し体の表面側における両縁の一方に、実寸の目盛りが、物差し体の全長にわたって、付けられるとともに、他方に、縮尺された目盛りが、物差し体の全長にわたって一種類の尺度だけとして、付けられ、
実寸の目盛りが、１ｍｍ毎の表示線を付けるとともに、１ｃｍ毎に、対応する長さの数字を付けて、表示され、
縮尺された目盛りが、少なくとも、対応するｃｍ毎に、対応する長さの数字を付けるとともに、目視可能な範囲で、対応する１ｍｍ毎、２ｍｍ毎、５ｍｍ毎のいずれかの表示線を付けて、表示されていることを特徴とする。
【００１０】
本考案に係る巻尺では、例えば、印を付ける対象物が、長さ寸法を３１３ｍｍとして、その長さ方向の中央に印を付ける際、縮尺された目盛りの尺度が、１／２の巻尺を使用し、その対象物に、物差し体を当てて、実寸の３１３ｍｍを確認しつつ、縮尺側の目盛りの３１．３ｃｍ（３１３ｍｍ）の位置を基準に、印を付ければ、瞬時に、対象物の中央に、印を付けることができる。
【００１１】
また、印を付ける対象物が、長さ寸法を４１３ｍｍとして、端から長さ寸法の１／３の位置に印を付ける場合には、縮尺された目盛りの尺度が、１／３の巻尺を使用し、その対象物に、物差し体を当てて、実寸の４１３ｍｍを確認しつつ、縮尺側の目盛りの４１．３ｃｍ（４１３ｍｍ）の位置を基準に、印を付ければ、瞬時に、対象物の端からその長さ寸法の１／３の位置に、印を付けることができる。
【００１２】
そして、縮尺された尺度の違う目盛りを付けた巻尺を、適宜、集めて、割り出し具として、準備しておけば、店舗等の現場において、所定の長さ寸法の対象物に対して、その長さ寸法の複数の等分に分割する位置に、印を付ける際、対応する尺度の巻尺を取り出して、簡単に、行うことができる。
【００１３】
したがって、本考案に係る巻尺と割り出し具では、対象物に印を付ける際、その対象物の長さ寸法を等分割した位置に、容易に、印を付けることができる。
【００１４】
なお、巻尺の目盛りは、実寸側の目盛りが、物差し体の全長にわたる一方側の縁側に、１ｍｍ毎の表示線を付けるとともに、１ｃｍ毎に、対応する長さの数字を付けて、表示されており、対象物の実寸を計測する際、迅速に、計測できる。また、縮尺側の目盛りも、物差し体の全長にわたる他方側の縁側に、少なくとも、対応するｃｍ毎に、対応する長さの数字を付けるとともに、目視可能な範囲で、対応する１ｍｍ毎、２ｍｍ毎、５ｍｍ毎のいずれかの表示線を付けて、表示されていることから、対応する長さ寸法を把握し易く、容易に、印を付けることができる。
【００１５】
ちなみに、縮尺側の目盛りは、目視可能な範囲で、対応するｃｍ毎に、対応する長さの数字を付けることから、実質上、１／１０以上の１／２、１／３、１／４、１／５程度が、限度となり、さらに望ましくは、１／２、１／３、１／４程度の尺度が、限度となる。
【００１６】
そのため、取り出し具として準備しておく巻尺は、縮尺目盛りの尺度を、１／２、１／３、１／４、１／５とした四個程度以内で、適宜、組み合わせた個数を、準備しておけばよく、さらに、縮尺目盛りが容易に目視できることを考慮すれば、望ましくは、１／２、１／３、１／４とした三個程度以内で、適宜、組み合わせた二個、あるいは、三個、を準備しておくことが好ましい。
【００１７】
なお、巻尺の目盛りに関して、実寸の目盛りの表示線が、１ｃｍ毎に描かれる大表示線と、隣接する二つの大表示線間に配置されて、大表示線から５ｍｍの位置に描かれる中表示線と、大表示線と中表示線との間で、１ｍｍ毎に描かれる小表示線と、から構成し、そして、縮尺された記目盛りが、実寸の１／２の尺度として、縮尺された目盛りの表示線が、対応する尺度の１ｃｍ毎に描かれる大表示線と、隣接する二つの大表示線間に配置されて、大表示線から対応する尺度の５ｍｍの位置に描かれる中表示線と、大表示線と中表示線との間で、対応する尺度の１ｍｍ毎に描かれる小表示線と、から構成すれば、縮尺目盛りにおける対応する尺度の１ｃｍあたりの表示線の数が、実寸目盛りの１ｃｍあたりの表示線の数と一致し、かつ、縮尺目盛りの尺度を１／２としていることから、対象物の１／２の長さの位置に印をつける際、即座に行え、センター付けで印を付ける際に、その巻尺を便利に使用することができる。
【考案を実施するための最良の形態】
【００１８】
以下、本考案の一実施形態を図面に基づいて説明すると、実施形態の割り出し具Ｔは、縮尺目盛りの尺度を相互に異ならせた三個の巻尺Ｍ１・Ｍ２・Ｍ３（図１・３・５参照）を具備して、構成されている。
【００１９】
各巻尺Ｍ１・Ｍ２・Ｍ３は、ケース１内に、帯状の物差し体３を配設させて、構成されている。物差し体３は、鋼板製のコンベックスルールから形成されており、ケース１内に、繰出可能として、所定のばね手段により、引き込まれるように巻き取られて、収納されている。また、ストッパボタン２の操作により、図示しないストッパ機構によって、繰り出した物差し体３が、その位置で停止可能で、かつ、停止後の復帰操作により、ケース１内に引き込み可能に構成されている。
【００２０】
なお、これらのケース１、ばね手段、及び、ストッパ機構等は、従来の巻尺と同様な構成であり、実施形態では、物差し体３の繰り出した表面側に付けた目盛り１０・１５に特徴がある。
【００２１】
すなわち、繰り出した物差し体３の長尺状の本体４には、図１・３・５に示すように、表面側における短手方向の一方の縁４ｂに、実寸の目盛り１０が付けられ、他方の縁４ｃに、縮尺された目盛り１５が付けられている。なお、本体４の先端４ａには、Ｌ字状に屈曲した先金５が固着されている。また、本体４は、３ｍ、５ｍ、１０ｍ等と所定の長さとして、配設されている。
【００２２】
実寸目盛り１０は、本体４の全長にわたって付けられるとともに、本体４の短手方向に沿って付けられる直線状の表示線１１・１３・１４から構成されて、本体４の先端４ａからの１ｍｍ毎に、いずれかの表示線１１・１３・１４が付けられている。そして、表示線１１は、１ｃｍ毎に描かれる大表示線１１であり、表示線１３は、隣接する二つの表示線１１・１１間に配置されて、大表示線１１から５ｍｍの位置に描かれる中表示線１３であり、表示線１４は、表示線１１と表示線１３との間で、１ｍｍ毎に描かれる小表示線１４である。表示線１１・１３・１４は、順次、長さを短くしたり、あるいは、幅寸法を太線から細線となるように、描かれている。そして、各大表示線１１には、縁４ｂから離れた端部側に、本体４の先端４ａからの実寸のｃｍ単位の長さ寸法に応じた数字の数表示１２が、表示されている。
【００２３】
縮尺目盛り１５は、本体４の全長にわたって一種類の尺度だけとして、付けられている。そして、縮尺目盛り１５は、少なくとも、対応するｃｍ毎に、対応する長さの数字を付けるとともに、目視可能な範囲で、対応する１ｍｍ毎、２ｍｍ毎、５ｍｍ毎のいずれかの表示線を付けて、表示されている。
【００２４】
そして、巻尺Ｍ１では、図１に示すように、縮尺目盛り１５の尺度を、１／２としており、本体４の短手方向に沿って付けられる直線状の表示線１６・１８・１９から構成されて、本体４の先端４ａからの対応する尺度での１ｍｍ毎に、いずれかの表示線１６・１８・１９が付けられている。そして、表示線１６は、対応する尺度での１ｃｍ毎（実寸では５ｍｍ毎となる）に描かれる大表示線１６であり、表示線１８は、隣接する二つの表示線１６・１６間に配置されて、大表示線１６から縮尺尺度での５ｍｍの位置に描かれる中表示線１８であり、表示線１９は、表示線１６と表示線１８との間で、縮尺尺度での１ｍｍ毎に描かれる小表示線１９である。表示線１６・１８・１９も、順次、長さを短くしたり、あるいは、幅寸法を太線から細線となるように、描かれている。そして、各大表示線１６には、縁４ｃから離れた端部側に、本体４の先端４ａからの縮尺尺度でのｃｍ単位の長さ寸法に応じた数字の数表示１７が、表示されている。
【００２５】
巻尺Ｍ２では、図３に示すように、縮尺目盛り１５の尺度を、１／３としており、本体４の短手方向に沿って付けられる直線状の表示線２１・２３・２４から構成されて、本体４の先端４ａからの対応する尺度での１ｍｍ毎に、いずれかの表示線２１・２３・２４が付けられている。そして、表示線２１は、対応する尺度での１ｃｍ毎（実寸では約３．３３ｍｍ毎となる）に描かれる大表示線２１であり、表示線２３は、隣接する二つの表示線２１・２１間に配置されて、大表示線２１から縮尺尺度での５ｍｍの位置に描かれる中表示線２３であり、表示線２４は、表示線２１と表示線２３との間で、縮尺尺度での１ｍｍ毎に描かれる小表示線２４である。表示線２１・２３・２４も、順次、長さを短くしたり、あるいは、幅寸法を太線から細線となるように、描かれている。そして、各大表示線２１には、縁４ｃから離れた端部側に、本体４の先端４ａからの縮尺尺度でのｃｍ単位の長さ寸法に応じた数字の数表示２２が、表示されている。
【００２６】
巻尺Ｍ３では、図５に示すように、縮尺目盛り１５の尺度を、１／４としており、本体４の短手方向に沿って付けられる直線状の表示線２６・２８から構成されて、本体４の先端４ａからの対応する尺度での２ｍｍ毎に、いずれかの表示線２６・２８が付けられている。そして、表示線２６は、対応する尺度での１ｃｍ毎（実寸では２．５ｍｍ毎となる）に描かれる大表示線２６であり、表示線２８は、隣接する二つの表示線２６・２６間に配置されて、大表示線２６から縮尺尺度での２ｍｍ毎の位置に描かれる小表示線２８である。表示線２６・２８も、順次、長さを短くしたり、あるいは、幅寸法を太線から細線となるように、描かれている。そして、各大表示線２６には、縁４ｃから離れた端部側に、本体４の先端４ａからの縮尺尺度でのｃｍ単位の長さ寸法に応じた数字の数表示２７が、表示されている。
【００２７】
この割り出し具Ｔの使用時には、例えば、印Ｓを付ける対象物Ｐ１が、長さ寸法を３１３ｍｍとして、その長さ方向の中央に印Ｓを付ける際、縮尺された目盛りの尺度が、１／２の巻尺Ｍ１を使用し、図１・２に示すように、その対象物Ｐ１に、物差し体３を当てて、実寸の３１３ｍｍを確認しつつ、縮尺側の目盛りの３１．３ｃｍ（３１３ｍｍ）の位置を基準に、印Ｓを付ければ、瞬時に、対象物Ｐ１の中央に、印Ｓを付けることができる。
【００２８】
なお、この巻尺Ｍ１では、縮尺目盛りにおける対応する尺度の１ｃｍあたりの表示線１６・１８・１９の数が、実寸目盛りの１ｃｍあたりの表示線１１・１３・１４の数と一致しており、また、縮尺目盛りの尺度を１／２としていることから、長さを種々に変えた対象物の１／２の長さの位置に印をつける際、即座に行え、センター付けで印を付ける際に、この巻尺Ｍ１を便利に使用することができる。
【００２９】
また、印Ｓを付ける対象物Ｐ２が、長さ寸法を４１３ｍｍとして、端から長さ寸法の１／３の位置に印Ｓを付ける場合には、縮尺された目盛りの尺度が、１／３の巻尺Ｍ２を使用し、図４に示すように、その対象物Ｐ２に、物差し体３を当てて、実寸の４１３ｍｍを確認しつつ、縮尺側の目盛りの４１．３ｃｍ（４１３ｍｍ）の位置を基準に、印Ｓを付ければ、瞬時に、対象物Ｐ２の端からその長さ寸法の１／３の位置に、印Ｓを付けることができる。
【００３０】
さらに、印Ｓを付ける対象物Ｐ３が、長さ寸法を５１４ｍｍとして、端から長さ寸法の１／４の位置に印Ｓを付ける場合には、縮尺された目盛りの尺度が、１／４の巻尺Ｍ３を使用し、図６に示すように、その対象物Ｐ３に、物差し体３を当てて、実寸の５１４ｍｍを確認しつつ、縮尺側の目盛りの５１．４ｃｍ（５１４ｍｍ）の位置を基準に、印Ｓを付ければ、瞬時に、対象物Ｐ３の端からその長さ寸法の１／４の位置に、印Ｓを付けることができる。なお、巻尺Ｍ３では、縮尺目盛り１５が、２ｍｍ単位で表示されていることから、５１．４ｃｍの印付けでは、５１ｃｍから５２ｃｍ側へ数えた二つ目の小表示線２８となる位置に、印Ｓを付ければよい。
【００３１】
そして、実施形態では、縮尺された尺度の違う目盛り１５を付けた巻尺Ｍ１・Ｍ２・Ｍ３を集めて、割り出し具Ｔとして準備しており、店舗等の現場において、所定の長さ寸法の対象物Ｐ１・Ｐ２・Ｐ３に対して、その長さ寸法の複数の等分に分割する位置、すなわち、１／２、１／３、１／４の位置に、印Ｓを付ける際、対応する尺度の巻尺Ｍ１・Ｍ２・Ｍ３を取り出して、簡単に、行うことができる。
【００３２】
したがって、実施形態の巻尺Ｍ１・Ｍ２・Ｍ３と割り出し具Ｔでは、対象物Ｐ１・Ｐ２・Ｐ３に印を付ける際、その対象物Ｐ１・Ｐ２・Ｐ３の長さ寸法を等分割した位置に、容易に、印Ｓを付けることができる。
【００３３】
勿論、巻尺Ｍ１・Ｍ２・Ｍ３では、等分した位置の印付け以外にも、例えば、縮尺された図面の寸法を測る場合等に、利用してもよい。
【００３４】
なお、縮尺目盛り１５は、少なくとも、対応するｃｍ毎に、対応する長さの数字を付けるとともに、目視可能な範囲で、対応する１ｍｍ毎、２ｍｍ毎、５ｍｍ毎のいずれかの表示線を付けて、表示されていればよい。
【００３５】
そして、図７・８に示す巻尺Ｍ４のように、縮尺目盛り１５の尺度を、１／５としもよい。この巻尺Ｍ４の縮尺目盛り１５は、本体４の短手方向に沿って付けられる直線状の表示線３０・３２から構成されて、本体４の先端４ａからの対応する尺度での５ｍｍ毎に、いずれかの表示線３０・３２が付けられている。そして、表示線３０は、対応する尺度での１ｃｍ毎（実寸では２ｍｍ毎となる）に描かれる大表示線３０であり、表示線３２は、隣接する二つの表示線３０・３０間に配置されて、大表示線３０から縮尺尺度での５ｍｍの位置に描かれる小表示線３２である。表示線３０・３２も、順次、長さを短くしたり、あるいは、幅寸法を太線から細線となるように、描かれている。そして、各大表示線３０には、縁４ｃから離れた端部側に、本体４の先端４ａからの縮尺尺度でのｃｍ単位の長さ寸法に応じた数字の数表示３１が、表示されている。
【００３６】
この巻尺Ｍ４では、例えば、印Ｓを付ける対象物Ｐ４が、長さ寸法を５１４ｍｍとして、端から長さ寸法の１／５の位置に印Ｓを付ける場合に好適に使用できる。そして、使用時には、対象物Ｐ４に、物差し体３を当てて、実寸の５１４ｍｍを確認しつつ、縮尺側の目盛りの５１．４ｃｍ（５１４ｍｍ）の位置を基準に、印Ｓを付ければ、瞬時に、対象物Ｐ４の端からその長さ寸法の１／５の位置に、印Ｓを付けることができる。なお、巻尺Ｍ４では、縮尺目盛り１５が、５ｍｍ単位で表示されていることから、５１．４ｃｍの印付けでは、大表示線３０と小表示線３２との５１ｃｍと５１．５ｃｍとの間の中央付近における５１．５ｃｍよりに、印Ｓを付ければよい。
【図面の簡単な説明】
【００３７】
【図１】本考案における実施形態の割り出し具を構成する巻尺の物差し体を示す平面図である。
【図２】図１に示す巻尺の使用時を示す斜視図である。
【図３】実施形態の割り出し具を構成する他の巻尺の物差し体を示す平面図である。
【図４】図３に示す巻尺の使用時を示す平面図である。
【図５】実施形態の割り出し具を構成するさらに他の巻尺の物差し体を示す平面図である。
【図６】図５に示す巻尺の使用時を示す平面図である。
【図７】実施形態の他の巻尺の物差し体を示す平面図である。
【図８】図７に示す巻尺の使用時を示す平面図である。
【符号の説明】
【００３８】
１…ケース、
３…物差し体、
１０…実寸目盛り、
１１・１３・１４…（実寸目盛りの）表示線、
１５…縮尺目盛り、
１６・１８・１９・２１・２３・２４・２６・２８・３０・３２…（縮尺目盛りの）表示線、
Ｍ１・Ｍ２・Ｍ３・Ｍ４…巻尺、
Ｓ…印、
Ｔ…割り出し具。
【図１】
0003119633.tif 000003
【図２】
0003119633.tif 000004
【図３】
0003119633.tif 000005
【図４】
0003119633.tif 000006
【図５】
0003119633.tif 000007
【図６】
0003119633.tif 000008
【図７】
0003119633.tif 000009
【図８】
0003119633.tif 000010